(57)【特許請求の範囲】
【請求項１】
自動車のエンジンを始動させるためのスタータを停止させるスタータ停止部と、
前記スタータの駆動時に前記スタータ停止部による前記スタータの停止を許可する通常モードと前記スタータ停止部による前記スタータの停止を禁止する緊急脱出モードとを切り替えるモード切替部と、
を備えており、
前記モード切替部は、タイヤロック状態でなく、現在のモードが緊急脱出モードでなく、ギアイン状態である場合に緊急脱出モードに切り替えることを特徴とするスタータ保護装置。
【請求項２】
前記モード切替部は、タイヤロック状態でなく、現在のモードが緊急脱出モードでなく、ギアイン状態でない場合にモードの切り替えを保留する請求項１に記載のスタータ保護装置。
【請求項３】
前記モード切替部は、タイヤロック状態でなく、現在のモードが緊急脱出モードである場合に緊急脱出モードを維持する請求項１又は２に記載のスタータ保護装置。
【請求項４】
前記モード切替部は、タイヤロック状態である場合に通常モードに切り替える請求項１から３の何れか一項に記載のスタータ保護装置。
【請求項５】
前記モード切替部は、パーキングブレーキ又はフットブレーキが効いている場合にタイヤロック状態であると判定する請求項１から４の何れか一項に記載のスタータ保護装置。
【発明の詳細な説明】
【技術分野】
【０００１】
本発明は、自動車のエンジンを始動させるためのスタータを保護するスタータ保護装置に関する。
【背景技術】
【０００２】
従来、踏切でエンジンが停止してしまいエンジンを再始動させることができない等の緊急時に、運転者が所定の条件の下でスタータを駆動させることにより、自動車を緊急発進させてその場からの緊急脱出を図ることができる技術が知られている（例えば、特許文献１を参照）。
【先行技術文献】
【特許文献】
【０００３】
【特許文献１】特開２０１３−０２４２１６号公報
【発明の概要】
【発明が解決しようとする課題】
【０００４】
しかしながら、ギアイン状態で且つタイヤロック状態である場合にスタータの駆動を継続すると、スタータに大電流が印加され続けるため、過電流によるスタータの故障が懸念される。
【０００５】
そこで、本発明の目的は、タイヤロック状態に伴う過電流に起因するスタータの故障を防止することが可能なスタータ保護装置を提供することにある。
【課題を解決するための手段】
【０００６】
この目的を達成するために創案された本発明は、自動車のエンジンを始動させるためのスタータを停止させるスタータ停止部と、前記スタータの駆動時に前記スタータ停止部による前記スタータの停止を許可する通常モードと前記スタータ停止部による前記スタータの停止を禁止する緊急脱出モードとを切り替えるモード切替部と、を備えており、前記モード切替部は、タイヤロック状態でなく、現在のモードが緊急脱出モードでなく、ギアイン状態である場合に緊急脱出モードに切り替えるスタータ保護装置である。
【０００７】
前記モード切替部は、タイヤロック状態でなく、現在のモードが緊急脱出モードでなく、ギアイン状態でない場合にモードの切り替えを保留することが好ましい。
【０００８】
前記モード切替部は、タイヤロック状態でなく、現在のモードが緊急脱出モードである場合に緊急脱出モードを維持することが好ましい。
【０００９】
前記モード切替部は、タイヤロック状態である場合に通常モードに切り替えることが好ましい。
【００１０】
前記モード切替部は、パーキングブレーキ又はフットブレーキが効いている場合にタイヤロック状態であると判定することが好ましい。
【発明の効果】
【００１１】
本発明によれば、タイヤロック状態に伴う過電流に起因するスタータの故障を防止することが可能なスタータ保護装置を提供することができる。
【図面の簡単な説明】
【００１２】
【図１】本発明の実施の形態に係るスタータ保護装置を示す概略図である。
【図２】スタータ保護装置の全体動作を示す流れ図である。
【図３】モード切替部の動作を示す流れ図である。
【発明を実施するための形態】
【００１３】
以下、本発明の好適な実施の形態を添付図面に順って説明する。
【００１４】
図１に示すように、本発明の好適な実施の形態に係るスタータ保護装置１００は、自動車のエンジン１０１を始動させるためのスタータ１０２を停止させるスタータ停止部１０３と、スタータ１０２の駆動時にスタータ停止部１０３によるスタータ１０２の停止を許可する通常モードとスタータ停止部１０３によるスタータ１０２の停止を禁止する緊急脱出モードとを切り替えるモード切替部１０４と、を備えている。
【００１５】
スタータ停止部１０３とモード切替部１０４は電子制御装置（ＥＣＵ）１０５により実現されており、電子制御装置１０５はスタータ保護装置１００により使用される種々のパラメータを取得している。
【００１６】
図２に示すように、スタータ保護装置１００は、運転者によりイグニッションキーがスタータ駆動位置に回されてスタータ１０２が駆動されたときに動作を開始し、ステップＳ１０１でモード切替部１０４によりモードを切り替える。
【００１７】
最初にスタータ保護装置１００の動作が開始された時点では、現在のモードは通常モード、即ち、緊急脱出モードが無効になっており、ステップＳ１０１で緊急脱出モードを有効にして現在のモードを緊急脱出モードにするか、又は緊急脱出モードを無効に維持して現在のモードを通常モードに維持するかを判定する。
【００１８】
図３に示すように、モード切替部１０４は、ステップＳ２０１とステップＳ２０２でタイヤロック状態であるか否かを判定し、タイヤロック状態である場合にステップＳ２０３に移行して現在のモードを通常モードに切り替えると共にステップＳ１０１を終えてステップＳ１０２に移行し、タイヤロック状態でない場合にステップＳ２０４に移行する。具体的には、ステップＳ２０１でパーキングブレーキが効いているか否かを判定し、ステップＳ２０２でフットブレーキが効いているか否かを判定し、パーキングブレーキ又はフットブレーキが効いている場合にタイヤロック状態であると判定する。
【００１９】
タイヤロック状態である場合に現在のモードを通常モードに切り替える理由は、運転者による緊急脱出の意図がなく、スタータ１０２の故障が懸念されるため、スタータ１０２を保護する必要があるからである。例えば、運転者がギアイン駐車を意図して自動車を操作している場合が考えられる。
【００２０】
ステップＳ２０４では、現在のモードが緊急脱出モードであるか否かを判定し、現在のモードが緊急脱出モードでない場合（即ち、通常モードである場合）にステップＳ２０５に移行し、現在のモードが緊急脱出モードである場合にステップＳ２０６に移行して現在のモードを緊急脱出モードに維持すると共にステップＳ１０１を終えてステップＳ１０２に移行する。
【００２１】
ステップＳ２０５では、ギアイン状態であるか否かを判定し、ギアイン状態である場合にステップＳ２０６に移行して現在のモードを緊急脱出モードに切り替え、ギアイン状態でない場合にモードの切り替えを保留した上で動作を終了する。
【００２２】
タイヤロック状態でなく、現在のモードが緊急脱出モードでなく、ギアイン状態である場合に現在のモードを緊急脱出モードに切り替える理由は、運転者による緊急脱出の意図があり、スタータ停止部１０３によるスタータ１０２の停止を禁止する必要があるからである。
【００２３】
また、タイヤロック状態でなく、現在のモードが緊急脱出モードでなく、ギアイン状態でない場合にモードの切り替えを保留した上で動作を終了する理由は、運転者による緊急脱出の意図がなく、スタータ１０２の故障が懸念されるため、スタータ１０２を保護する必要があるからである。
【００２４】
更に、タイヤロック状態でなく、現在のモードが緊急脱出モードである場合にギアイン状態と無関係に現在のモードを緊急脱出モードに維持する理由は、緊急脱出中にクラッチが切断されたとしても、自動車の操作のために運転者により意図的にクラッチが切断された可能性があるため、スタータ停止部１０３によるスタータ１０２の停止を禁止する必要があるからである。
【００２５】
再び図２を参照し、ステップＳ１０２では、スタータ停止部１０３により現在のモードが緊急脱出モードであるか否かを判定し、現在のモードが緊急脱出モードである場合にスタータ１０２を停止させることなく動作を終了し、現在のモードが緊急脱出モードでない場合（即ち、通常モードである場合）にステップＳ１０３からステップＳ１０５に亘る通常制御（スタータ停止制御）に移行する。
【００２６】
現在のモードが緊急脱出モードである場合にスタータ１０２を停止させることなく動作を終了する理由は、緊急時はスタータ１０２の保護よりも自動車の緊急脱出を優先する必要があるからである。
【００２７】
ステップＳ１０３では、スタータ停止部１０３により所定時間に亘りクランキングが継続しているか否かを判定し、所定時間に亘りクランキングが継続していない場合にステップＳ１０４に移行し、所定時間に亘りクランキングが継続している場合にステップＳ１０５に移行してスタータ停止部１０３によりスタータ１０２を停止させる。
【００２８】
所定時間に亘りクランキングが継続している場合にスタータ停止部１０３によりスタータ１０２を停止させる理由は、スタータ１０２の駆動を更に継続してもエンジン１０１が始動される可能性は低く、またスタータ１０２の故障も懸念されるため、スタータ１０２を保護する必要があるからである。例えば、エンジン１０１の故障等を原因として自動車が走行不能に陥っている場合が考えられる。
【００２９】
ステップＳ１０４では、スタータ停止部１０３によりエンジン１０１が始動されているか否かを判定し、エンジン１０１が始動されている場合にステップＳ１０５に移行してスタータ停止部１０３によりスタータ１０２を停止させ、エンジン１０１が始動されていない場合にスタータ１０２を停止させることなく動作を終了する。
【００３０】
エンジン１０１が始動されている場合にスタータ停止部１０３によりスタータ１０２を停止させる理由は、もはやスタータ１０２の駆動を継続する必要がないからであり、エンジン１０１が始動されていない場合にスタータ１０２を停止させることなく動作を終了する理由は、スタータ１０２の駆動を更に継続することによりエンジン１０１が始動される可能性があるためである。
【００３１】
以上の通り、本発明によれば、タイヤロック状態に伴う過電流に起因するスタータの故障を防止することが可能なスタータ保護装置を提供することができる。
【符号の説明】
【００３２】
１００  スタータ保護装置
１０１  エンジン
１０２  スタータ
１０３  スタータ停止部
１０４  モード切替部
１０５  電子制御装置
【図１】
0006384228.tif 000002
【図２】
0006384228.tif 000003
【図３】
0006384228.tif 000004